(57)【要約】【課題】光アクセスネットワークシステムの通信状態を監視する通信監視装置、通信監視方法及びプログラムを提供する。【解決手段】本発明の通信監視装置１０は、ＯＮＵからＯＬＴへの上り光信号を光ファイバ伝送路上の光カプラを介して受信する光レシーバ１０１と、光レシーバ１０１で受信した受信信号から、受信信号中のＭＡＣフレーム中のプリアンブルの相違に基づいてＭＣ方式による通信であるか、ＰＯＮ方式による通信であるかを自動判別する信号種別識別機能部１０２と、信号種別識別機能部１０２によって判別した信号種別に応じて、ＭＣ方式における通信状態又はＰＯＮ方式における通信状態を監視する通信監視機能部１０５，１０６とを備える。【選択図】図６
2010258895.tif 000002
【特許請求の範囲】
【請求項１】
１つ以上の光加入者終端装置（ＯＬＴ）と１つ以上の光ネットワーク終端装置（ＯＮＵ）とを光ファイバを介して接続する光アクセスネットワークシステムの通信状態を監視する通信監視装置であって、
ＯＮＵからＯＬＴへの上り光信号を光ファイバ伝送路上の光カプラを介して受信する光信号受信手段と、
前記光信号受信手段で受信した受信信号から、受信信号中のＭＡＣフレーム中のプリアンブルの相違に基づいてＭＣ方式による通信であるか、ＰＯＮ方式による通信であるかを自動判別する信号種別識別手段と、
前記信号種別識別手段によって判別した信号種別に応じて、ＭＣ方式における通信状態又はＰＯＮ方式における通信状態を監視する通信監視手段と、
を備えることを特徴とする通信監視装置。
【請求項２】
前記通信監視手段は、前記信号種別識別手段によってＭＣ方式による通信であるか、ＰＯＮ方式による通信であるかを判別した際に、ＭＣ方式による通信であればＯＮＵとＯＬＴとの間のリンク確立及び各優先度の通信状態を表すデータを生成することを特徴とする、請求項１に記載の通信監視装置。
【請求項３】
前記通信監視手段は、前記信号種別識別手段によってＭＣ方式による通信であるか、ＰＯＮ方式による通信であるかを判別した際に、ＰＯＮ方式による通信であればＯＮＵとＯＬＴとの間の各々のリンク確立及び該ＯＮＵごとの各優先度の通信状態を表すデータを生成することを特徴とする、請求項１又は２に記載の通信監視装置。
【請求項４】
前記生成した各データを所定の表示画面に表示する表示手段を更に備えることを特徴とする、請求項２又は３に記載の通信監視装置。
【請求項５】
前記信号種別識別手段は、一定時間内にギガアイドル信号を規定のビット以上連続受信する場合は、接続状態にあると判別し、当該規定のビット以上連続受信しない場合は未接続と判断することを特徴とする、請求項１〜４のいずれか一項に記載の通信監視装置。
【請求項６】
受信信号のＰＯＮフレームについてフレーム処理するＰＯＮ信号処理手段を更に有し、
前記信号種別識別手段によってＰＯＮ方式による通信であると判別された場合に、
前記ＰＯＮ信号処理手段は、
フレーム処理として、前記ＰＯＮフレームがＭＰＣＰフレームの場合に、ＭＰＣＰフレームからＬＬＩＤと送信元アドレスを読み出して対応するＯＮＵを特定し、ＬＬＩＤと送信元アドレスを対応させ、且つＬＬＩＤごとにＭＰＣＰフレームを一定時間内にカウントする機能を有し、
前記通信監視手段は、前記信号種別識別手段によってＰＯＮ方式による通信であると判別された場合に、ＰＯＮフレームのＭＰＣＰフレームの数が所定の閾値以上であるか否かを比較して、該所定の閾値以上であると判断する場合に通信中であると判別し、ＯＮＵ別のＯＬＴとＯＮＵとの間のリンク確立の状態と、ＬＬＩＤ及び優先度ごとに通信中であるか否かを判別し、該判別した結果を前記表示手段に送出することを特徴とする、請求項４に記載の通信監視装置。
【請求項７】
受信信号のＰＯＮフレームについてフレーム処理するＰＯＮ信号処理手段を更に有し、
前記信号種別識別手段によってＰＯＮ方式による通信であると判別された場合に、
前記ＰＯＮ信号処理手段は、
フレーム処理として、前記ＰＯＮフレームがデータフレームの場合に、データフレームからＬＬＩＤとＶＬＡＮのユーザプライオリティビット（優先度）を読み出し、ＬＬＩＤと優先度ごとにデータフレームを一定時間内にカウントする機能を有し、
前記通信監視手段は、前記信号種別識別手段によってＰＯＮ方式による通信であると判別された場合に、ＰＯＮフレームのデータフレームの数が所定の閾値以上であるか否かを比較して、該所定の閾値以上であると判断する場合に通信中であると判別し、ＯＮＵ別のＯＬＴとＯＮＵとの間のリンク確立の状態と、ＬＬＩＤ及び優先度ごとに通信中であるか否かを判別し、該判別した結果を前記表示手段に送出することを特徴とする、請求項４に記載の通信監視装置。
【請求項８】
受信信号のＭＣフレームについてフレーム処理するＭＣ信号処理手段を更に有し、
前記信号種別識別手段によってＭＣ方式による通信であると判別された場合に、
前記ＭＣ信号処理手段は、
フレーム処理として、前記ＭＣフレームのデータフレームからＶＬＡＮのユーザプライオリティビット（優先度）を読み出し、優先度ごとにデータフレームを一定時間内にカウントする機能を有し、
前記通信監視手段は、前記信号種別識別手段によってＭＣ方式による通信であると判別された場合に、ＭＣフレームにおけるデータフレームの数が所定の閾値以上であるか否かを比較して、該所定の閾値以上であると判断する場合に通信中であると判別し、ＯＬＴとＯＮＵとの間のリンク確立の状態と、優先度ごとに通信中であるか否かを判別し、該判別した結果を前記表示手段に送出することを特徴とする、請求項４に記載の通信監視装置。
【請求項９】
１つ以上の光加入者終端装置（ＯＬＴ）と１つ以上の光ネットワーク終端装置（ＯＮＵ）とを光ファイバを介して接続する光アクセスネットワークシステムの通信状態を監視する通信監視方法であって、
前記ＯＮＵから前記ＯＬＴへの上り光信号を光ファイバ伝送路上の光カプラを介して受信するステップと、
該ステップで受信した受信信号から、受信信号中のＭＡＣフレーム中のプリアンブルの相違に基づいてＭＣ方式による通信であるか、ＰＯＮ方式による通信であるかを自動判別するステップと、
前記ステップによって判別した信号種別に応じて、ＭＣ方式における通信状態又はＰＯＮ方式における通信状態を監視するステップと、
を含むことを特徴とする通信監視方法。
【請求項１０】
１つ以上の光加入者終端装置（ＯＬＴ）と１つ以上の光ネットワーク終端装置（ＯＮＵ）とを光ファイバを介して接続する光アクセスネットワークシステムの通信状態を監視する通信監視装置として構成するコンピュータに、
前記ＯＮＵから前記ＯＬＴへの上り光信号を光ファイバ伝送路上の光カプラを介して受信するステップと、
該ステップで受信した受信信号から、受信信号中のＭＡＣフレーム中のプリアンブルの相違に基づいてＭＣ方式による通信であるか、ＰＯＮ方式による通信であるかを自動判別するステップと、
前記ステップによって判別した信号種別に応じて、ＭＣ方式における通信状態又はＰＯＮ方式における通信状態を監視するステップと、
を実行させるためのプログラム。
【発明の詳細な説明】
【技術分野】
【０００１】
本発明は、光アクセスネットワークシステムにおける通信監視装置、通信監視方法及びプログラムに関する。
【背景技術】
【０００２】
道路工事などの要因による支障移転工事において、光ファイバケーブルを移設する場合には、既存の光ファイバケーブルを切断し、新たに敷設した光ファイバケーブルへ接続し直す必要がある。また、光ファイバケーブルの収容替え工事においても、同様に既存の光ファイバケーブルを切断し、収容替え先の光ファイバケーブルへ接続し直す必要がある。このような光ファイバケーブル切替工事では、一時的に光ファイバケーブル内の光ファイバを切断するため、ユーザがサービスを利用中であるにもかかわらずサービスを中断する可能性がある。
【０００３】
ユーザがサービス利用中の中断は、サービス品質の低下につながるため、光ファイバを切断する際には、ユーザがサービスを利用中であるか否かを判別できるのが好ましい。ユーザのサービスの利用状況がわかれば、ユーザがサービスを利用中である光ファイバの切替工事を後回しにすることや、ユーザのサービス利用状況に応じた柔軟な切替工事を行うことができる。従って、サービスを中断することなく切替工事ができるので、サービス品質が格段に向上する。そこで、光アクセスネットワークのトラフィックを監視し、ユーザのサービス利用状況を監視する通信監視装置が望まれている。
【０００４】
以下では光アクセスネットワークについて説明する。図１に示すように、メディア・コンバータ（ＭＣ）方式は、１つの光加入者終端装置（ＯＬＴ：Optical Line Terminal）３が１つの光ネットワーク終端装置（ＯＮＵ：Optical Network Unit）２と光ファイバを介してポイント・ツー・ポイントの通信を行うネットワークである。ユーザが利用する通信端末１は、ＯＮＵ２を介してＯＬＴ３を経由するバックボーンネットワークからサービスを受けることができる。また、図２に示すように、受動光ネットワーク（ＰＯＮ）方式は、１つのＯＬＴ３が各通信端末１−Ｎと接続される複数のＯＮＵ２−Ｎと光ファイバ及び１対Ｎの光スプリッタ４を介してポイント・ツー・マルチポイントの通信を行うネットワークである（Ｎは自然数）。
【０００５】
ＭＣ及びＰＯＮの規格として、ＩＥＥＥ８０２．３で規定されているギガビットイーサネット（登録商標）が用いられる。尚、ＰＯＮに対応するギガビットイーサネット（登録商標）の規格としてＥＰＯＮ（Ethernet（登録商標） Passive Optical Network）が標準化されている。ＥＰＯＮでは、複数のＯＮＵから送信された信号がスプリッタから先の光ファイバで共有されるため、異なるＯＮＵから送信された信号の衝突を避けるように、信号の送信タイミングを制御するプロトコル（ＭＰＣＰ）を規定している。ここでは、送信タイミングを制御するためにＥＰＯＮ区間のみ利用されるＭＡＣフレームをＭＰＣＰフレームと呼び、ＥＰＯＮ区間以外でも利用されるＭＡＣフレームをデータフレームと呼ぶことにする。また、ＥＰＯＮは、複数のＯＮＵを識別するためにＬＬＩＤ（Logical Link ID）を各ＯＮＵに割り当て、ＬＬＩＤ単位にＭＡＣフレームの送受信制御を行う。ＬＬＩＤはＥＰＯＮ区間でやりとりされるＭＡＣフレームのプリアンブルに付与される。
【０００６】
図３に示すように、光アクセスネットワークシステムは、ＭＣ方式、ＰＯＮ方式、局内の光ファイバ成端架５及びサービス多重分離装置６で構成される。尚、複数の通信端末の各々を１−Ｎと表し、複数のＯＮＵの各々を２−Ｎと表し、複数のＯＬＴの各々を３−Ｎと表している。光ファイバ成端架５は、各ＯＬＴ３−Ｎからの光ファイバと局外へ延びる光ファイバを集約する。ここでは、光ファイバ成端架５内にＭＣ方式とＰＯＮ方式が混在して収容されている。更に、光ファイバごとに光パルス試験（ＯＴＤＲ：Optical Time-Domain Reflectometer）７用の各光カプラ５−Ｎが接続される。サービス多重分離装置６は各ＯＬＴ３−Ｎから延びる光ファイバを集線し、バックボーンネットワークへ接続する。サービス多重分離装置６はミラーリングポートを有し、このミラーリングポートを介してＭＣ方式やＰＯＮ方式の光ファイバを流れるトラフィックを監視することができる。
【０００７】
以下では従来の通信監視方法について説明する。
【０００８】
第１の通信監視方法として、通信監視装置として機能するプロトコル・アナライザをサービス多重分離装置６のミラーリングポートに接続することで、通信端末１−Ｎごとのトラフィックを監視することができる（例えば、非特許文献１参照）。しかしながら、そのトラフィックがどのＯＬＴ３−Ｎから流れているのか、さらにどのＯＮＵ２−Ｎから流れているのかを識別できないため、光ファイバ切替工事において、ユーザがサービスを使用中である光ファイバを特定することができない。
【０００９】
第２の通信監視方法として、光ファイバ成端架５にあるＯＴＤＲ７用の光カプラ５−Ｎに光テスタや光パワーメータを接続すれば、光ファイバごとの光信号の有無を判別することができる。しかしながら、光信号の有無だけでは、ユーザが実際にサービスを使用中であるか否かを判別することはできない。
【００１０】
第３の通信監視方法として、従来のＭＣ通信監視装置８は、光ファイバ成端架５の光カプラ５−Ｎを通してＭＣ方式の光ファイバに接続し、ＭＣ方式の光ファイバに流れるトラフィックを監視することができる。図４に示すように、従来のＭＣ通信監視装置８は、光レシーバ８１、ＭＣ信号処理機能部８２及び表示機能部８３で構成されている。光レシーバ８１はＯＴＤＲ７用の光カプラ５−Ｎを介してギガビットイーサネット（登録商標）の光信号を受信する。ＭＣ信号処理機能部８２は、光レシーバ８１で受信した受信信号をフレーム処理し、トラフィック情報（フレーム数のカウントやフレームの中身）を収集する。表示機能部８３は収集したトラフィック情報をＭＣ通信監視装置８の所定の表示画面に表示することができる（例えば、非特許文献１参照）。
【００１１】
第４の通信監視方法として、従来のＰＯＮ通信監視装置９は、光ファイバ成端架５の光カプラ５−Ｎを介してＰＯＮ方式の光ファイバに接続し、ＰＯＮ方式の光ファイバに流れるトラフィックを監視することができる。図５に示すように、従来のＰＯＮ通信監視装置９は光レシーバ９１、ＰＯＮ信号処理機能部９２及び表示機能部９３で構成されている。光レシーバ９１はＯＴＤＲ７用の光カプラ５−Ｎを介してギガビットイーサネット（登録商標）の光信号を受信する。ＰＯＮ信号処理機能部９２は光レシーバ９１で受信した受信信号をＰＯＮ用のＭＡＣフレームとして処理を行い、ＯＮＵ２−Ｎに割り当てられたＬＬＩＤごとのＭＰＣＰフレームやトラフィック情報を収集する。表示機能部９３は収集したトラフィック情報を通信監視装置９の所定の表示画面に表示する（例えば、特許文献１参照）。
【先行技術文献】
【特許文献】
【００１２】
【特許文献１】特開２００７−９６８４７号公報
【非特許文献】
【００１３】
【非特許文献１】“EtherScope NetWork Assistant VLAN/スイッチ・ネットワークのトラブルシューティング”，フルーク・ネットワークス，２００５年
【発明の概要】
【発明が解決しようとする課題】
【００１４】
このような従来の通信監視方法は、光アクセスネットワークを流れるトラフィックの量やトラフィックの中身を見ることができる。しかしながら、従来の通信監視装置８，９は、ＯＮＵごとにＯＬＴとＯＮＵのリンクが確立しているか否かを判別する機能、又はどのサービスが利用中であるか否かを識別する機能を備えていない。更に、光ファイバ成端架５はＭＣ方式とＰＯＮ方式を混在して収容する場合もあるため、どの光ファイバにどの光アクセスネットワークが収容されているか事前に知っていなければ、通信監視装置８又は通信監視装置９を接続している光アクセスネットワークがＭＣ方式による通信であるかＰＯＮ方式による通信であるかを容易に識別することは困難である。
【００１５】
即ち、通信監視装置としては、以下の機能を具備することが所望される。
【００１６】
第１に、光ファイバに接続されている光アクセスネットワークがＭＣであるか、又はＰＯＮであるかを意識することなく自動的に判別できるようにする。
【００１７】
第２に、光アクセスネットワークシステムのＯＮＵとＯＬＴの接続状態（即ち、リンク状態）をＯＮＵごとに確認できるようにする。各ＯＮＵの識別情報としてＭＡＣアドレスを用いるようにする。
【００１８】
第３に、光アクセスネットワークにおいて、サービスごとに通信中であるか否かを判別できるようにする。
【００１９】
本発明の目的は、これらの課題を鑑みて為されたものであり、光アクセスネットワークシステムにおける通信監視装置、通信監視方法及びプログラムを提供することにある。
【課題を解決するための手段】
【００２０】
本発明の通信監視装置は、従来のＭＣ及びＰＯＮの通信監視装置とは相違して、信号種別識別手段と、ＰＯＮ／ＭＣの通信監視手段とを更に備える。これにより、本発明の通信監視装置の接続先がＭＣ方式の光ファイバであるか、又はＰＯＮ方式の光ファイバであるかを判別することができる。更に、本発明の通信監視装置は、本発明の通信監視装置の接続先がＭＣ方式の光ファイバであれば各サービスの利用状況を把握して本発明の通信監視装置における所定の表示画面に表示し、ＰＯＮ方式の光ファイバであれば、ＯＮＵごとの各サービスの利用状況を把握して本発明の通信監視装置における所定の表示画面に表示することができる。
【００２１】
即ち、本発明の通信監視装置は、１つ以上の光加入者終端装置（ＯＬＴ）と１つ以上の光ネットワーク終端装置（ＯＮＵ）とを光ファイバを介して接続する光アクセスネットワークシステムの通信状態を監視する通信監視装置であって、ＯＮＵからＯＬＴへの上り光信号を光ファイバ伝送路上の光カプラを介して受信する光信号受信手段と、前記光信号受信手段で受信した受信信号から、受信信号中のＭＡＣフレーム中のプリアンブルの相違に基づいてＭＣ方式による通信であるか、ＰＯＮ方式による通信であるかを自動判別する信号種別識別手段と、前記信号種別識別手段によって判別した信号種別に応じて、ＭＣ方式における通信状態又はＰＯＮ方式における通信状態を監視する通信監視手段とを備えることを特徴とする。
【００２２】
また、本発明の通信監視装置において、前記通信監視手段は、前記信号種別識別手段によってＭＣ方式による通信であるか、ＰＯＮ方式による通信であるかを判別した際に、ＭＣ方式による通信であればＯＮＵとＯＬＴとの間のリンク確立及び各優先度の通信状態を表すデータを生成することを特徴とする。
【００２３】
また、本発明の通信監視装置において、前記通信監視手段は、前記信号種別識別手段によってＭＣ方式による通信であるか、ＰＯＮ方式による通信であるかを判別した際に、ＰＯＮ方式による通信であればＯＮＵとＯＬＴとの間の各々のリンク確立及び該ＯＮＵごとの各優先度の通信状態を表すデータを生成することを特徴とする。
【００２４】
また、本発明の通信監視装置において、前記生成した各データを所定の表示画面に表示する表示手段を更に備えることを特徴とする。
【００２５】
また、本発明の通信監視装置において、前記信号種別識別手段は、一定時間内にギガアイドル信号を規定のビット以上連続受信する場合は、接続状態にあると判別し、当該規定のビット以上連続受信しない場合は未接続と判断することを特徴とする。
【００２６】
また、本発明の通信監視装置において、受信信号のＰＯＮフレームについてフレーム処理するＰＯＮ信号処理手段を更に有し、前記信号種別識別手段によってＰＯＮ方式による通信であると判別された場合に、前記ＰＯＮ信号処理手段は、フレーム処理として、前記ＰＯＮフレームがＭＰＣＰフレームの場合に、ＭＰＣＰフレームからＬＬＩＤと送信元アドレスを読み出して対応するＯＮＵを特定し、ＬＬＩＤと送信元アドレスを対応させ、且つＬＬＩＤごとにＭＰＣＰフレームを一定時間内にカウントする機能を有し、前記通信監視手段は、前記信号種別識別手段によってＰＯＮ方式による通信であると判別された場合に、ＰＯＮフレームのＭＰＣＰフレームの数が所定の閾値以上であるか否かを比較して、該所定の閾値以上であると判断する場合に通信中であると判別し、ＯＮＵ別のＯＬＴとＯＮＵとの間のリンク確立の状態と、ＬＬＩＤ及び優先度ごとに通信中であるか否かを判別し、該判別した結果を前記表示手段に送出することを特徴とする。
【００２７】
また、本発明の通信監視装置において、受信信号のＰＯＮフレームについてフレーム処理するＰＯＮ信号処理手段を更に有し、前記信号種別識別手段によってＰＯＮ方式による通信であると判別された場合に、前記ＰＯＮ信号処理手段は、フレーム処理として、前記ＰＯＮフレームがデータフレームの場合に、データフレームからＬＬＩＤとＶＬＡＮのユーザプライオリティビット（優先度）を読み出し、ＬＬＩＤと優先度ごとにデータフレームを一定時間内にカウントする機能を有し、前記通信監視手段は、前記信号種別識別手段によってＰＯＮ方式による通信であると判別された場合に、ＰＯＮフレームのデータフレームの数が所定の閾値以上であるか否かを比較して、該所定の閾値以上であると判断する場合に通信中であると判別し、ＯＮＵ別のＯＬＴとＯＮＵとの間のリンク確立の状態と、ＬＬＩＤ及び優先度ごとに通信中であるか否かを判別し、該判別した結果を前記表示手段に送出することを特徴とする。
【００２８】
また、本発明の通信監視装置において、受信信号のＭＣフレームについてフレーム処理するＭＣ信号処理手段を更に有し、前記信号種別識別手段によってＭＣ方式による通信であると判別された場合に、前記ＭＣ信号処理手段は、フレーム処理として、前記ＭＣフレームのデータフレームからＶＬＡＮのユーザプライオリティビット（優先度）を読み出し、優先度ごとにデータフレームを一定時間内にカウントする機能を有し、前記通信監視手段は、前記信号種別識別手段によってＭＣ方式による通信であると判別された場合に、ＭＣフレームにおけるデータフレームの数が所定の閾値以上であるか否かを比較して、該所定の閾値以上であると判断する場合に通信中であると判別し、ＯＬＴとＯＮＵとの間のリンク確立の状態と、優先度ごとに通信中であるか否かを判別し、該判別した結果を前記表示手段に送出することを特徴とする。
【００２９】
更に、本発明の通信監視方法は、１つ以上の光加入者終端装置（ＯＬＴ）と１つ以上の光ネットワーク終端装置（ＯＮＵ）とを光ファイバを介して接続する光アクセスネットワークシステムの通信状態を監視する通信監視方法であって、前記ＯＮＵから前記ＯＬＴへの上り光信号を光ファイバ伝送路上の光カプラを介して受信するステップと、該ステップで受信した受信信号から、受信信号中のＭＡＣフレーム中のプリアンブルの相違に基づいてＭＣ方式による通信であるか、ＰＯＮ方式による通信であるかを自動判別するステップと、前記ステップによって判別した信号種別に応じて、ＭＣ方式における通信状態又はＰＯＮ方式における通信状態を監視するステップとを含むことを特徴とする。
【００３０】
更に、本発明は、１つ以上の光加入者終端装置（ＯＬＴ）と１つ以上の光ネットワーク終端装置（ＯＮＵ）とを光ファイバを介して接続する光アクセスネットワークシステムの通信状態を監視する通信監視装置として構成するコンピュータに、前記ＯＮＵから前記ＯＬＴへの上り光信号を光ファイバ伝送路上の光カプラを介して受信するステップと、該ステップで受信した受信信号から、受信信号中のＭＡＣフレーム中のプリアンブルの相違に基づいてＭＣ方式による通信であるか、ＰＯＮ方式による通信であるかを自動判別するステップと、前記ステップによって判別した信号種別に応じて、ＭＣ方式における通信状態又はＰＯＮ方式における通信状態を監視するステップとを実行させるためのプログラムとしても特徴付けられる。
【発明の効果】
【００３１】
本発明の通信監視装置、通信監視方法及びプログラムによれば、光ファイバに接続されている光アクセスネットワークがＭＣ方式による通信であるか、又はＰＯＮ方式による通信であるかを意識することなく自動的に判別できるようになる。
【００３２】
また、本発明の通信監視装置及び通信監視方法によれば、光アクセスネットワークシステムのＯＮＵとＯＬＴの接続状態（即ち、リンク状態）をＯＮＵ ごとに確認できるようになる。
【図面の簡単な説明】
【００３３】
【図１】１つの光加入者終端装置（ＯＬＴ）が１つの光ネットワーク終端装置（ＯＮＵ）と光ファイバを介してポイント・ツー・ポイントの通信を行うメディア・コンバータ（ＭＣ）方式のネットワークを示す図である。
【図２】１つのＯＬＴが複数のＯＮＵと光ファイバ及び１対ｎの光スプリッタ（ｎは自然数）を介してポイント・ツー・マルチポイントの通信を行う受動光ネットワーク（ＰＯＮ）方式のネットワークを示す図である。
【図３】ＭＣ、ＰＯＮ、局内の光ファイバ成端架及びサービス多重分離装置を備える光アクセスネットワークシステムを示す図である。
【図４】従来のＭＣ通信監視装置の機能ブロック図である。
【図５】従来のＰＯＮ通信監視装置の機能ブロック図である。
【図６】本発明による一実施例の通信監視装置の機能ブロック図である。
【図７】本発明による一実施例の通信監視装置における信号種別識別機能部の信号種別識別時の動作を示すフローチャートである。
【図８】本発明による一実施例の通信監視装置に係るＭＰＣＰフレームカウントテーブルの一例を示す図である。
【図９】本発明による一実施例の通信監視装置に係るＰＯＮデータフレームカウントテーブルの一例を示す図である。
【図１０】本発明による一実施例の通信監視装置におけるＰＯＮ通信監視機能部の動作を示すフローチャートである。
【図１１】本発明による一実施例の通信監視装置におけるＰＯＮリンク確立判別機能部の動作を示すフローチャートである。
【図１２】本発明による一実施例の通信監視装置におけるＰＯＮ通信状態判別機能部の動作を示すフローチャートである。
【図１３】本発明による一実施例の通信監視装置における、受信信号の信号種別がＰＯＮである場合の表示画面の一例を示す図である。
【図１４】本発明による一実施例の通信監視装置における、優先度が割り当てられたＭＣデータフレームカウントテーブルの一例を示す図である。
【図１５】本発明による一実施例の通信監視装置におけるＭＣ監視通信機能部の動作を示すフローチャートである。
【図１６】本発明による一実施例の通信監視装置における信号種別識別機能部のリンク状態識別時の動作を示すフローチャートである。
【図１７】本発明による一実施例の通信監視装置におけるＭＣ通信状態判別機能部のフローチャートである。
【図１８】本発明による一実施例の通信監視装置における、受信信号の信号種別がＭＣである場合の表示画面の一例を示す図である。
【発明を実施するための形態】
【００３４】
以下、本発明による一実施例の通信監視装置について説明する。
【００３５】
[装置構成]
図６は、本発明による一実施例の通信監視装置の機能ブロック図である。本実施例の通信監視装置１０は、光レシーバ１０１と、信号種別識別機能部１０２と、ＰＯＮ信号処理機能部１０３と、ＭＣ信号処理機能部１０４と、ＰＯＮ通信監視機能部１０５と、ＭＣ通信監視機能部１０６と、表示機能部１０７とを備える。
【００３６】
ＰＯＮ通信監視機能部１０５は、図示しないメモリに格納されるＭＰＣＰフレームカウントテーブル１０５１及びＰＯＮデータフレームカウントテーブル１０５３と、これらのテーブルのアクセス及び更新をそれぞれ制御するためのＰＯＮリンク確立判別機能部１０５２及びＰＯＮ通信状態判別機能部１０５４とを有する。
【００３７】
ＭＣ通信監視機能部１０６は、図示しないメモリに格納されるＭＣデータフレームカウントテーブル１０６１と、このテーブルのアクセス及び更新を制御するためのＭＣ通信状態判別機能部１０６２とを有する。
【００３８】
本実施例の通信監視装置１０は、図３に示すような光アクセスネットワークシステムにおいて、ＯＮＵ２−ＮからＯＬＴ３−Ｎへの上り光信号を光ファイバ伝送路上の光カプラ５−Ｎを介して光レシーバ１０１により受信し、光レシーバ１０１で受信した受信信号から、受信信号中のＭＡＣフレーム中のプリアンブルの相違（ＬＬＩＤの有無等）に基づいてＭＣ方式による通信であるか、ＰＯＮ方式による通信であるかを判別し、ＭＣ方式による通信であればＯＮＵ２−ＮとＯＬＴ３−Ｎのリンク確立及び各優先度の通信状態を表示機能部１０７により所定の表示画面に表示し、ＰＯＮ方式による通信であれば各ＯＮＵ２−ＮとＯＬＴ３−Ｎのリンク確立及びＯＮＵ２−Ｎごとの各優先度の通信状態を表示機能部１０７により所定の表示画面に表示する装置である。
【００３９】
また、本実施例の通信監視装置１０は、送信元のＭＡＣアドレスからどのＯＮＵ２−Ｎから発信されたデータフレームであるかを特定し、その上で、データフレーム数がある所定の閾値以上か否か判断することによって、各ＯＮＵ２−Ｎと各ＯＬＴ３−Ｎとの間における通信状況を判断し、判断結果を所定の表示画面に表示することができる。
【００４０】
以下、従来の通信監視装置について詳細に説明する。
【００４１】
光レシーバ１０１は、ＯＮＵ２−ＮからＯＬＴ３−Ｎへの上り光信号を光ファイバ伝送路上の光カプラ５−Ｎを介して受信する。
【００４２】
信号種別識別機能部１０２は、光レシーバ１０１で受信した受信信号がＰＯＮフレーム、ＭＣフレームであるか、若しくは未接続であるかを受信信号中のＭＡＣフレーム中のプリアンブルの相違（ＬＬＩＤの有無等）に基づいて自動判別する機能を有する。
【００４３】
ＰＯＮ信号処理機能部１０３は、信号種別識別機能部１０２によって受信信号がＰＯＮフレームであると判別した場合に、受信信号をＰＯＮフレームとして信号処理し、ＰＯＮフレームの種別によって以下のフレーム処理を行う。
【００４４】
第１のフレーム処理として、ＰＯＮ信号処理機能部１０３は、受信信号のＰＯＮフレームがＭＰＣＰフレームの場合には、ＭＰＣＰフレームからＬＬＩＤと送信元アドレスを読み出し（これによりＯＮＵを特定することができる）、ＬＬＩＤと送信元アドレスを対応させ、且つＬＬＩＤごとにＭＰＣＰフレームを観測期間の一定時間内にカウントし、カウントした結果を図８に例示するＭＰＣＰフレームカウントテーブル１０５１に格納する。ここで、上りＭＰＣＰフレームの送信元アドレスは各ＯＮＵ２−ＮのＭＡＣアドレスに対応する。
【００４５】
第２のフレーム処理として、ＰＯＮ信号処理機能部１０３は、受信信号のＰＯＮフレームがデータフレームの場合には、ＬＬＩＤとＶＬＡＮのユーザプライオリティビット（優先度）を読み出し、ＬＬＩＤと優先度ごとにデータフレームをカウントし、観測期間の一定時間内にカウントした結果を図９に例示するＰＯＮデータフレームカウントテーブル１０５３に格納する。
【００４６】
ＰＯＮ通信監視機能部１０５は、信号種別識別機能部１０２によって受信信号がＰＯＮフレームであると判別した場合に、ＰＯＮ信号処理機能部１０３によってＰＯＮフレームにおけるＭＰＣＰフレーム又はデータフレームの数をカウントし、ＭＰＣＰフレーム又はデータフレームの数が所定の閾値以上であるか否かをＰＯＮ通信状態判別機能部１０５４により比較して該所定の閾値以上であると判断する場合に通信中であると判別する。これにより、ＰＯＮ通信監視機能部１０５は、ＯＮＵ２−ＮごとにＯＬＴ３−ＮとＯＮＵ２−Ｎとの間のリンク確立を判別するとともに、ＯＮＵ２−Ｎごとに各サービスの通信状態を判別し、判別結果を所定の表示画面に表示するためのテーブルを作成する。
【００４７】
ＰＯＮリンク確立判別機能部１０５２は、ＰＯＮフレームのＭＰＣＰフレームについて、ＬＬＩＤごとのリンク確立を判別する。
【００４８】
ＰＯＮ通信状態判別機能部１０５４は、ＰＯＮフレームのＭＰＣＰフレーム又はデータフレームの数を所定の閾値と比較することによって、ＯＬＴ３−ＮとＯＮＵ２−Ｎとの間のリンク確立の状態と、ＬＬＩＤ及び優先度ごとに通信中であるか否かを判別し、判別結果を表示機能部１０７に送出する。
【００４９】
従って、ＰＯＮ通信監視機能部１０５は、ＰＯＮ信号処理機能部１０３の上記２つの処理に基づいて各ＯＮＵ２−ＮのＭＡＣアドレス、ＯＬＴ３−ＮとＯＮＵ２−Ｎとの間のリンク確立の状態、及び優先度ごとの通信状態を表すテーブル（図１３）を作成し、図示しないメモリに格納する。表示機能部１０７は、本装置を操作する操作者の操作によるか、又は自動的に図１３に例示するテーブルを読み出して所定の表示画面に表示することができる。ここで、ＯＮＵ２−ＮのＬＬＩＤではなくＭＡＣアドレスを表示に用いるのは、ＬＬＩＤはＯＬＴ３−Ｎによって変更される可能性があるためである。あるＯＮＵ２−Ｎに新しいＬＬＩＤが付与されても、ＭＰＣＰフレームからＭＡＣアドレスを読み出すことで、そのＯＮＵ２−Ｎを特定することができる。
【００５０】
ＭＣ信号処理機能部１０４は、信号種別識別機能部１０２によって受信信号がＭＣフレームであると判別した場合に、受信信号をＭＡＣフレームとして処理し、データフレームのＶＬＡＮのユーザプライオリティビット（優先度）を読み出し、優先度ごとにデータフレームを観測期間の一定時間内にカウントし、カウントした結果を図１４に例示するＭＣデータフレームカウントテーブル１０６１に格納する。
【００５１】
ＭＣ通信監視機能部１０６は、信号種別識別機能部１０２によって受信信号がＭＣフレームであると判別した場合に、ＭＣ信号処理機能部１０４によってＭＣフレームにおけるデータフレームの数が所定の閾値以上であるか否かをＭＣ通信状態判別機能部１０６２により比較して、該所定の閾値以上であると判断する場合に通信中であると判別する。これにより、ＭＣ通信監視機能部１０６は、ＯＮＵ２−ＮごとにＯＬＴ３−ＮとＯＮＵ２−Ｎとの間のリンク確立を判別するとともに、各サービスの通信状況を判別し、判別結果を所定の表示画面に表示するためのテーブルを作成する。
【００５２】
ＭＣ通信状態判別機能部１０６２は、ＭＣフレームのデータフレームの数を所定の閾値と比較することによって、ＯＬＴ３−ＮとＯＮＵ２−Ｎとの間のリンク確立の状態と、ＭＣフレームの優先度ごとに通信中であるか否かを判別し、判別結果を表示機能部１０７に送出する。
【００５３】
表示機能部１０７は、ＰＯＮリンク確立判別機能部１０５２、ＰＯＮ通信状態判別機能部１０５４、及びＭＣ通信状態判別機能部１０６２の結果をもとに、信号種別、ＯＬＴ３−ＮとＯＮＵ２−Ｎとの間のリンク確立の状態、及び各優先度の通信状態を所定の表示画面に表示する機能を有する。尚、ＯＮＵ２−ＮのＭＡＣアドレスはＭＣ方式の光ファイバを流れるデータフレームからは知ることができないため「ＭＣ」と表示する。
【００５４】
尚、表示機能部１０７は、一定時間の終了時間直後に或る優先度のフレームの送信が始まったときは、その時点で通信監視装置１０の受信フレーム数が閾値に達しないので「待機」と表示し、次の周期の一定時間で受信フレーム数が閾値に達すると「通信中」と表示する。
【００５５】
ここで、ＭＡＣフレームの優先度について詳述するに、ＭＡＣフレームのＶＬＡＮタグ内にあるユーザプライオリティビット（３ビット：０〜７）でデータフレームの優先度（０〜７）を判別することができる。このとき、一つのデータフレームに対して優先度が割り当てられているため、リンク確立の有無を判断する一定時間内には優先度は変更されることはない。
【００５６】
また、プライオリティビットについて詳述するに、ＭＣの場合、ＭＡＣフレームのＶＬＡＮタグ内にあるユーザプライオリティフィールドの３ビットは、ユーザプライオリティビットと称される。また、ＣｏＳ（Class of Service）とも呼ばれており、ＩＥＥＥ８０２．１ｐで規定されている。
【００５７】
ＰＯＮと同様に、ギガビットイーサネット（登録商標）のＭＣでは、ＯＬＴとＯＮＵとの間でＭＡＣフレーム（データフレーム）にＶＬＡＮタグが付与されており、そのＶＬＡＮタグのユーザプライオリティビットから判断することができる。
【００５８】
次に、本発明による一実施例の通信監視装置の動作について更に説明する。
【００５９】
[装置動作]
図７は信号種別識別機能部１０２の信号種別識別時の動作を示すフローチャートである。以下に信号種別識別機能部１０２による受信信号の判別について説明する。条件分岐１（ステップＳ１）において、一定時間内にギガアイドル信号を規定のビット（９６ビット）以上連続受信する場合は、ギガビットイーサネット（登録商標）であると判別できるので条件分岐２（ステップＳ２）に進む。条件分岐１（ステップＳ１）において、規定のビット（９６ビット）以上連続受信しない場合は未接続と判断する。ステップＳ２にて、当該一定時間内にＰＯＮフレームを受信する場合はＰＯＮであると判別し、そうでない場合はＭＣであると判別する。尚、受信信号がＰＯＮフレームであるか否かは、例えばＰＯＮとＭＣにおけるＭＡＣフレームのプリアンブルの違い（ＬＬＩＤの有無等）により判別することができる。
【００６０】
尚、ギガアイドル信号とはギガビットイーサネット（登録商標）のアイドル信号（無信号）のことである。一般的にイーサネット（登録商標）では、インターフレームギャップ（ＩＦＧ：Inter Flame Gap）にアイドル信号を送信し続けて、受信側でのビット同期を簡単に実現することができる。ここで、ＩＦＧとはＭＡＣフレームを送信してから次のＭＡＣフレームを送信するまでの空隙のことで、イーサネット（登録商標）では、必ず最低でも１２バイト（９６ビット）空隙を設ける決まりがある。
【００６１】
ＰＯＮ方式及びＭＣ方式では、ＩＦＧにギガアイドル信号を持っており、このギガアイドル信号を用いて、通信状況を判断する。
【００６２】
尚、ギアアイドル信号が規定のビット（９６ビット）「以上」受信した場合について説明しているが、ＭＣにおいてＯＮＵがＭＡＣフレームを送信していない時は、常にギガアイドル信号を送信しているためである。一方、ＰＯＮではＯＬＴの許可があるときだけ、ＯＮＵはＭＡＣフレーム及びギガアイドル信号を送信することができる。
【００６３】
図１０はＰＯＮ監視通信機能部１０５の動作を示すフローチャートである。
【００６４】
ステップＳ１１にて、フレームカウントテーブル（ＭＰＣＰフレームカウントテーブル１０５１及びＰＯＮデータフレームカウントテーブル１０５３）の更新を規定する一定時間（更新周期）を設定する。
【００６５】
ステップＳ１２にて、リンク確立判別閾値を設定する。リンク確立判別閾値は、ＭＰＣＰフレームのカウント数と比較することでＯＬＴ３−ＮとＯＮＵ２−Ｎのリンク確立を判別するのに用いられる。
【００６６】
ステップＳ１３にて、通信中であるか否かを判別するための通信中判別閾値を設定する。通信中判別閾値は、データフレームの優先度ごとに設定される。通信中判別閾値は、各優先度のデータフレームのカウント数と比較することで通信中であるか否かを判別するのに用いられる。
【００６７】
ステップＳ１４にて、一定時間、ＰＯＮフレームを受信する。
【００６８】
ステップＳ１５にて、ＰＯＮ信号処理機能部１０３によってカウントされたＰＯＮフレームにおけるＭＰＣＰフレーム又はデータフレームの数が所定の閾値以上か否かをＰＯＮ通信状態判別機能部１０５４により判断することによって、ＯＮＵ２−ＮごとにＯＬＴ３−ＮとＯＮＵ２−Ｎとの間のリンク確立を判別するとともに、ステップＳ１６にて、ＯＮＵ２−Ｎごとに各サービスの通信状態を判別し、ステップＳ１７にて、各ＯＮＵ２−ＮのＭＡＣアドレス、ＯＬＴ３−ＮとＯＮＵ２−Ｎとの間のリンク確立の状態、及び優先度ごとの通信状態を表すテーブル（図１３）を作成する。
【００６９】
ＰＯＮ監視通信機能部１０５は、ステップＳ１４〜Ｓ１７の動作を当該一定時間ごとに繰り返すことで、一定時間ごとの判別結果を表示可能にする。
【００７０】
ここで、リンク確立判別閾値について詳述するに、ＩＥＥＥ８０２．３ａｈのＣｌａｕｓｅ ６４において、ＯＬＴが同じＯＮＵにＧＡＴＥフレーム（下りのＭＰＣＰフレーム）を送信する周期は、最大５０ｍｓと規定されている。また、ＯＮＵがＯＬＴにＲＥＰＯＲＴフレーム（上りのＭＰＣＰフレーム）を送信する周期は、最大５０ｍｓと規定されている。これにより、本発明による一実施例の通信監視装置１０は上りのＭＰＣＰフレームを最大５０ｍｓ周期で観測することができる。つまり、受信信号の一定時間を１ｓとするとリンク確立判別閾値は２０フレーム以下に設定することになる。
【００７１】
尚、ＧＥ−ＰＯＮでは、ＯＮＵは上りＭＰＣＰフレームを最大１ｍｓ周期（例えば、０．５ｍ周期とすることができる）で送信していることから、受信信号の一定時間を１ｓとするとリンク確立判別閾値は１０００フレーム以下に設定することができる。
【００７２】
また、通信中判別閾値はサービス（優先度）ごとに設定することができ、サービスによって例えば以下のような場合が考えられる。
【００７３】
第１に、ＶｏＩＰサービス：音声パケットを２０ｍｓ周期で送信するので、信号受信一定時間を１ｓとするとＶｏＩＰサービスの通信中判別閾値は５０フレーム以下に設定する。
【００７４】
第２に、インターネット：常にパケットが送信されるわけではなく、ブラウザをクリックして画面が更新されるときに数〜数１００パケットが送信される。ユーザに依存するところが大きく、通信監視装置の試作機を使用した経験則から信号受信一定時間を１ｓとするとインターネットの通信中判別閾値は１０フレームに設定する。
【００７５】
図１１はＰＯＮリンク確立判別機能部１０５２のフローチャートである。まず、ＭＰＣＰフレームカウントテーブル１０５１を読み込む（ステップＳ２１）。次に、読み込んだＭＰＣＰフレームカウントテーブル１０５１内のＬＬＩＤごとに受信信号のＭＰＣＰフレーム数と設定済みのリンク確立判別閾値を比較し（ステップＳ２２，Ｓ２３）、ＭＰＣＰフレーム数が設定済みのリンク確立判別閾値以上である場合に、ＯＬＴ３−ＮとＯＮＵ２−Ｎのリンク確立の状態であると判別し（ステップＳ２４）、そうでなければリンク未確立の状態であると判別する（ステップＳ２５）。最後に、一定時間後にＬＬＩＤごとの判断結果を表示機能部１０７に送出して、次の一定時間のためにＭＰＣＰフレームカウントテーブル１０５１をクリアして終了する（ステップＳ２６，Ｓ２７）。
【００７６】
図１２はＰＯＮ通信状態判別機能部１０５４のフローチャートである。まず、ＰＯＮデータフレームカウントテーブル１０５３を読み込む（ステップＳ３１）。次に、読み込んだＰＯＮデータフレームカウントテーブル１０５３内のＬＬＩＤ及び優先度ごとに受信信号のデータフレーム数と設定済みの通信判別閾値を比較し（ステップＳ３２，Ｓ３３，Ｓ３４）、受信信号のデータフレーム数が設定済みの通信判別閾値以上である場合には通信中であると判別し（ステップＳ３５）、そうでなければ待機状態であると判別する（ステップＳ３６）。最後に、一定時間後にＬＬＩＤ及び優先度ごとの判断結果を表示機能部１０７に送出して、次の一定時間のためにＰＯＮデータフレームカウントテーブル１０５３をクリアして終了する（ステップＳ３７，Ｓ３８，Ｓ３９）。
【００７７】
図１３は受信信号の信号種別がＰＯＮ方式による通信である場合の表示画面例である。表示機能部１０７は、ＰＯＮ通信監視機能部１０５におけるＰＯＮリンク確立判別機能部１０５２及びＰＯＮ通信状態判別機能部１０５４の各判別結果に基づいて、信号種別、ＯＮＵのＭＡＣアドレス、リンク状態、各優先度の通信状態を所定の表示画面に表示する。表示画面は通信監視装置１０が備える表示画面に表示してもよいし、外部のコンピュータ装置へ外部出力して表示させるように構成してもよい。ここで、表示機能部１０７に加えて、各優先度に対して通信中の状態を音で通知する音通知機能部（図示せず）を追加することもできる。通信状態を音で通知することで、切替工事に携わる者が通信監視装置１０を利用する場合に、通信監視装置１０における表示画面の確認を要することなく通信状態を認知することができるため、切替工事の作業効率が向上する。
【００７８】
図１５はＭＣ通信監視機能部１０６の動作を示すフローチャートである。
【００７９】
ステップＳ４１にて、フレームカウントテーブル（ＭＣデータフレームカウントテーブル１０６１）の更新を規定する一定時間（更新周期）を設定する。
【００８０】
ステップＳ４２にて、リンク確立判別閾値を設定する。リンク確立判別閾値は、ＭＣデータフレームのカウント数と比較することでＯＬＴ３−ＮとＯＮＵ２−Ｎのリンク確立を判別するのに用いられる。
【００８１】
ステップＳ４３にて、通信中であるか否かを判別するための通信中判別閾値を設定する。通信中判別閾値は、データフレームの優先度ごとに設定される。通信中判別閾値は、各優先度のデータフレームのカウント数と比較することで通信中であるか否かを判別するのに用いられる。
【００８２】
ステップＳ４４にて、一定時間、ＭＣデータフレームを受信する。
【００８３】
ステップＳ４５にて、ＭＣ信号処理機能部１０４によってカウントされたＭＣデータフレームの数が所定の閾値以上か否かをＭＣ通信状態判別機能部１０６２により判断することによって、ＯＮＵ２−ＮごとにＯＬＴ３−ＮとＯＮＵ２−Ｎとの間のリンク確立を判別するとともに、ステップＳ４６にて、ＯＮＵ２−Ｎごとに各サービスの通信状態を判別し、ステップＳ４７にて、ＯＬＴ３−ＮとＯＮＵ２−Ｎとの間のリンク確立の状態、及び優先度ごとの通信状態を表すテーブル（図示せず）を作成する。
【００８４】
図１６は信号種別識別機能部１０２のリンク状態識別時の動作を示すフローチャートである。一定時間内にギガアイドル信号を規定のビット（９６ビット）以上連続受信する場合はリンク確立とし（ステップＳ５１，Ｓ５２）、そうでない場合はリンク未確立とする（ステップＳ５１，Ｓ５３）。
【００８５】
図１７はＭＣ通信状態判別機能部１０６２の動作を示すフローチャートである。まず、ＭＣデータフレームカウントテーブルを読み込む（ステップＳ６１）。次に、読み込んだＭＣデータフレームカウントテーブル１０６１内の優先度ごとに受信信号のＭＣデータフレーム数と設定済みの通信判別閾値を比較し（ステップＳ６２，Ｓ６３）、ＭＣデータフレーム数が設定済みの通信判別閾値以上である場合には通信中であると判別し（ステップＳ６４）、そうでなければ待機状態と判別する（ステップＳ６５）。最後に、ＭＣデータフレームカウントテーブル１０６１をクリアして終了する（ステップＳ６６，Ｓ６７）。図１８には受信信号の信号種別がＭＣ方式による通信である場合の表示画面例を示す。
【００８６】
以上のように、本実施例の通信監視装置１０及び通信監視方法によれば、光アクセスネットワークにおいて、サービスごとに通信中であるか否かを判別できるようになる。
【００８７】
更に、本実施例の通信監視装置１０及び通信監視方法によれば、切替工事前と切替工事後のリンク状態を比較することができ、正確な工事を行えたかを容易に確認できるようになる。
【００８８】
また、本実施例の通信監視装置１０及び通信監視方法によれば、切替工事において、サービス利用中（通信中）の中断を回避できるので、ユーザに対してサービス品質が大幅に向上する。
【００８９】
特に、切替工事の作業者は、ユーザのサービス利用状況を確認できるので、サービス利用状況に応じて柔軟な作業を行うことが可能となる。更に、事前にユーザへ切替工事の通知・説明などをする必要がなくなり、ユーザ対応にかかる稼働を大幅に削減することができる。
【００９０】
本実施例では、ＯＮＵ２−ＮのＭＡＣアドレスごとにリンク確立及び通信状態を判別するので、ＯＮＵ２−Ｎに複数のＬＬＩＤを割り当てるマルチＬＬＩＤにも本発明を適用できる。また、１０ギガビットのＭＣと１０ギガビットのＰＯＮにも本発明を適用できるのは明らかである。
【００９１】
また、本発明の通信監視装置１０をコンピュータとして構成することができ、前述した各機能を実現させるためのプログラムは、コンピュータの内部又は外部に備えられるメモリ（図示せず）に記憶される。このようなメモリは、外付けハードディスクなどの外部記憶装置、或いはＲＡＭなどの内部記憶装置で実現することができる。プログラムを実行する通信監視装置１０内の制御部は、中央演算処理装置（ＣＰＵ）などで実現することができる。即ち、ＣＰＵが、各機能を実現するための処理内容が記述されたプログラムを、適宜、メモリから読み込んで、コンピュータ上で各機能を実現することができる。ここで、いずれかの機能部をハードウェアの一部で実現しても良い。
【００９２】
上述したプログラムは、コンピュータで読み取り可能な記録媒体に記録しておくこともできる。コンピュータで読み取り可能な記録媒体としては、例えば、磁気記録装置、光ディスク、光磁気記録装置、半導体メモリ等どのようなものでもよい。
【００９３】
前述した実施例では、特定の形態について説明したが、本発明は、前述した実施例に限定されるものではなく、その主旨を逸脱しない範囲において種々変更可能である。例えば、上述の実施例では、ＭＣ方式及びＰＯＮ方式が混在した光アクセスネットワークシステムを例に説明したが、ＭＣ方式又はＰＯＮ方式のネットワークのみで構成される光アクセスネットワークシステムに適用できることは云うまでもない。従って、前述した実施例に限定されるものではなく、その主旨を逸脱しない範囲において多くの変形例を実現することができる。  
【産業上の利用可能性】
【００９４】
本発明によれば、ＯＮＵ２−ＮのＭＡＣアドレスごとにリンク確立及び通信状態を判別するので、光アクセスネットワークにおけるトラフィック監視の用途に有用である。
【符号の説明】
【００９５】
１，１−Ｎ  通信端末
２，２−Ｎ  ＯＮＵ
３，３−Ｎ  ＯＬＴ
４，４−Ｎ  光スプリッタ
５  光ファイバ成端架
５−Ｎ  光カプラ
６  サービス多重分離装置
７  ＯＴＤＲ（Optical Time-Domain Reflectometer）
８  ＭＣ通信監視装置
９  ＰＯＮ通信監視装置
１０  通信監視装置
８１  光レシーバ
８２  ＭＣ信号処理機能部
８３  表示機能部
９１  光レシーバ
９２  ＭＣ信号処理機能部
９３  表示機能部
１０１  光レシーバ
１０２  信号種別識別機能部
１０３  ＰＯＮ信号処理機能部
１０４  ＭＣ信号処理機能部
１０５  ＰＯＮ通信監視機能部
１０６  ＭＣ通信監視機能部
１０７  表示機能部
１０５１  ＭＰＣＰフレームカウントテーブル
１０５２  ＰＯＮリンク確立判別機能部
１０５３  ＰＯＮデータフレームカウントテーブル
１０５４  ＰＯＮ通信状態判別機能部
１０６１  ＭＣデータフレームカウントテーブル
１０６２  ＭＣ通信状態判別機能部
【図１】
2010258895.tif 000003
【図２】
2010258895.tif 000004
【図３】
2010258895.tif 000005
【図４】
2010258895.tif 000006
【図５】
2010258895.tif 000007
【図６】
2010258895.tif 000008
【図７】
2010258895.tif 000009
【図８】
2010258895.tif 000010
【図９】
2010258895.tif 000011
【図１０】
2010258895.tif 000012
【図１１】
2010258895.tif 000013
【図１２】
2010258895.tif 000014
【図１３】
2010258895.tif 000015
【図１４】
2010258895.tif 000016
【図１５】
2010258895.tif 000017
【図１６】
2010258895.tif 000018
【図１７】
2010258895.tif 000019
【図１８】
2010258895.tif 000020